(57)【要約】【課題】  単一の動作で開状態にできる戸を提供する。【解決手段】  障子に設けられた換気用の開口部と、開口部を開閉する内倒し式の扉と、扉を閉状態に固定する固定具とを備え、固定具は、開口部の上縁に固定されたラッチ受けと、扉に水平軸周りに回動自在に取り付けられ、互いに一体形成された操作レバー及びラッチを有し、操作レバーは下方へ伸びていて、操作レバーを上方へ持ち上げると、ラッチとラッチ受けの係合が解除されて扉が開状態となる。【選択図】      図１
2020122370.tif 000002
【特許請求の範囲】
【請求項１】
障子に設けられた換気用の開口部と、開口部を開閉する内倒し式の扉と、扉を閉状態に固定する固定具とを備え、固定具は、開口部の上縁に固定されたラッチ受けと、扉に水平軸周りに回動自在に取り付けられ、互いに一体形成された操作レバー及びラッチを有し、操作レバーは下方へ伸びていて、操作レバーを上方へ持ち上げると、ラッチとラッチ受けの係合が解除されて扉が開状態となることを特徴とする戸。
【発明の詳細な説明】
【技術分野】
【０００１】
本発明は、換気用開口部を備えた戸に関する。
【背景技術】
【０００２】
従来、例えば特許文献１に開示される、戸に換気用に設けられた扉は、扉を開状態にするには、ラッチボルトとラッチ受けとの係合を解除するため操作部を下方に引いた後に、扉を室内側に倒すため操作部を室内側に引くという二つの動作が必要であり、操作性が悪かった。また、開口部の上部に位置している操作部の上面に埃が溜まりやすく、容易には清掃できないといった問題もあった。
【先行技術文献】
【特許文献】
【０００３】
【特許文献１】特願２０１８−６０９７２号
【発明の概要】
【発明が解決しようとする課題】
【０００４】
本発明は上記の点に鑑み、単一の動作で開状態にできる戸を提供することを目的とする。
【課題を解決するための手段】
【０００５】
本発明の建具は、障子に設けられた換気用の開口部と、開口部を開閉する内倒し式の扉と、扉を閉状態に固定する固定具とを備え、固定具は、開口部の上縁に固定されたラッチ受けと、扉に水平軸周りに回動自在に取り付けられ、互いに一体形成された操作レバー及びラッチを有し、操作レバーは下方へ伸びていて、操作レバーを上方へ持ち上げると、ラッチとラッチ受けの係合が解除されて扉が開状態となることを特徴とする。
【発明の効果】
【０００６】
本発明によれば、障子に設けられた換気用の開口部と、開口部を開閉する内倒し式の扉と、扉を閉状態に固定する固定具とを備え、固定具は、開口部の上縁に固定されたラッチ受けと、扉に水平軸周りに回動自在に取り付けられ、互いに一体形成された操作レバー及びラッチを有し、操作レバーは下方へ伸びていて、操作レバーを上方へ持ち上げると、ラッチとラッチ受けの係合が解除されて扉が開状態となるので、操作レバーを上方へ持ち上げる動作のみで戸を開状態にできるので、操作性に優れる。
【０００７】
また、操作レバーが下方へ伸びていることで、操作レバーの上面に埃等が溜まりにくく、清掃頻度を減少できる。
【図面の簡単な説明】
【０００８】
【図１】図２のＡ―Ａ断面図である。
【図２】扉の閉状態における戸の室内側正面図である。
【図３】図２のＢ―Ｂ断面図である。
【図４】図２のＣの拡大図である。
【図５】扉が閉状態から開状態となるまでの説明図である。
【図６】他の実施形態の戸の縦断面図である。
【発明を実施するための形態】
【０００９】
以下、本発明の実施の形態を図面に基づいて説明する。本発明の戸の使用場所は特に限定されるものではないが、ここでは引違い戸として用いられる場合を示す。図１乃至図５は、本発明に係る戸の一実施形態を示している。図１は図２のＡ―Ａ断面図である。図２は扉の閉状態における戸の室内側正面図である。図３は図２のＢ―Ｂ断面図である。図４は図２のＣの拡大図である。図５は図２のＢ―Ｂ断面図であって、扉が閉状態から開状態となるまでの説明図である。なお、以下の説明において室内側及び室外側とは、図１乃至図５に示した通りとする。
【００１０】
本戸は、図１乃至図４に示すように、躯体開口部に取付けられている枠体と、枠体内に引き違い上に開閉自在に納められた外障子１ａ及び内障子１ｂとを備える。枠体は、上枠１０と、下枠１１と、左右の縦枠１２，１２を四周組みして構成されている。外障子１ａは、上框１３と下框１４と戸先框１５と召合せ框１６を四周框組みし、その内側にガラスパネル１７を嵌め込んで構成されている。内障子１ｂは、上框１３と下框１４と戸先框１５と召合せ框１６を四周框組みすると共に、上框１３の内周側に沿って横型の換気装置２を設け、換気装置２と下框１４の間の開口部にガラスパネル１７を嵌め込んで構成されている。
【００１１】
換気装置２は、上横部材２１と下横部材２２と左右の縦部材２３，２３とを枠組みすることで、室内外に連通する換気用の開口部２４を形成し、開口部２４を開閉する内倒し式の扉３を設けたものである。開口部２４の室外側には、防虫網２５が取付けてある。換気装置２は、図１に示すように、扉３の操作レバー３７ｂと、下横部材２２に設けられた結露水受け２２ｃを除き、内障子１ｂの見込寸法内に納まっている。
【００１２】
換気装置２は、扉を閉状態に固定する固定具３７を備え、固定具３７は、ラッチ３７ａと、ラッチ受け３７ｆと、操作レバー３７ｂと、回動軸３７ｄと、回動軸３７ｄの支持部材３７ｅから構成されている。
【００１３】
上横部材２１は、図１に示すように、外周側に、上框１３の内周側に挿入すると弾発的に係止して抜け止めされる一対の係止片２１ａ，２１ａを有する。上横部材２１の内周側面には、ラッチ受け３７ｆが取付けてある。
【００１４】
下横部材２２の外周側面には、見込方向中間位置に外周側に向けて突出する突壁２２ａを有し、突壁２２ａの根元の室内側には、扉３のヒンジ部３３ｂが嵌合するヒンジ部受け２２ｂが設けてあり、ヒンジ部受け２２ｂの下方に隣接して、扉３に生じた結露水を受ける結露水受け２２ｃが設けてある。
【００１５】
左右の縦部材２３は、図３に示すように、外周部に戸先框１５と召合せ框１６内にそれぞれ挿入係止される一対の係止片２３ａ，２３ａを有している。
【００１６】
扉３は、図１及び図３に示すように、室外側壁３２と室内側壁３３と上下の見込壁３４，３５とを有するアルミ製の中空形材３１と、中空形材３１の左右両端部に取付けたＬ形断面の側部材３６，３６とで構成してある。扉３の室内側壁３３の上部には、台座３８が室内側へ突出して取り付けられており、台座３８は、操作レバー３７ｂの当接部３７ｇが下方から当接する水平面である、被当接部３８ａを有している。扉３の室内側壁３３の下部は、下側の見込壁３５よりも下方に垂下しており、下側に斜め45°で屈曲して室外側に伸びる屈曲部３３ａを有し、屈曲部３３ａの先端に扉３の回動軸となるヒンジ部３３ｂが設けてある。このように、扉３の室内側壁３３の下部を室外側に屈曲させ、その先端にヒンジ部３３ｂを設けることで、ヒンジ部３３ｂを内障子１ｂの見込方向の中心寄りに設定してある。
【００１７】
扉３の上側の見込壁３４には、図１に示すように、ラッチ３７ａが立設されており、ラッチ受け３７ｆと係合している。扉３の室内側面には、扉３の開閉操作を行うための操作レバー３７ｂが設けられている。図１，図３及び図４に示すように、操作レバー３７ｂはラッチと一体形成されていて、中間部を水平方向の回動軸３７ｄによって回動自在に軸支されている。回動軸３７ｄは、見込壁３４の上面に立設された支持部材３７ｅによって支持されている。操作レバー３７ｂは室内側下方へと伸びており、その先部は下方へと屈曲して指掛部３７ｃを形成している。操作レバー３７ｂの上部には、操作レバー３７ｂが上方へと回動した際に台座３８の被当接部３８ａに当接する、当接部３７ｇが立設されている。
【００１８】
換気を行う際には、操作レバー３７ｂの指掛部３７ｃに指を掛け、持ち上げるように操作することで、ラッチ３７ａを下降させてラッチ受け３７ｆとの係合を解除し、図５に示すように、扉３をヒンジ部３３ｂを支点として室内側に倒し、開口部２４を開放する。このとき、操作レバー３７ｂが図５（ｂ）の位置まで回動すると、操作レバー３７ｂの当接部３７ｇが台座３８の被当接部３８ａに当接し、操作レバー３７ｂはそれ以上回動しない。そして、操作レバー３７ｂを上向きに持ち上げようとする操作においては、指掛部３７ｃには上向きの力だけでなく室内側方向への力が加わるため、扉３は室内側へと倒れる。扉３は、室内側に最大45°倒れるようになっている。
【００１９】
次に、本発明の戸の構成による作用及び効果について説明する。本発明によれば、内障子１ｂに設けられた換気用の開口部２４と、開口部２４を開閉する内倒し式の扉３と、扉３を閉状態に固定する固定具３７とを備え、固定具３７は、開口部２４の上縁に固定されたラッチ受け３７ｆと、扉３に水平軸周りに回動自在に取り付けられ、互いに一体形成された操作レバー３７ｂ及びラッチ３７ａを有し、操作レバー３７ｂは下方へ伸びていて、操作レバー３７ｂを上方へ持ち上げると、ラッチ３７ａとラッチ受け３７ｆの係合が解除されて扉３が開状態となるので、操作レバー３７ｂを上方へ持ち上げる動作のみで戸３を開状態にできるので、操作性に優れる。
【００２０】
そして、操作レバー３７ｂが下方へ伸びていることで、操作レバー３７ｂの上面に埃等が溜まりにくく、清掃頻度を減少できる。
【００２１】
また、ヒンジ部３３ｂを内障子１ｂの見込方向の中心寄りに設定したことで、扉３を少ない出幅で大きな開放角度で開くことができ、これにより換気量を大きく取ることができる。
【００２２】
さらに、換気装置２の本体部（扉３の操作レバー３７ｂを除いた部分）が内障子１ｂの見込寸法内に納まっているので、換気装置２が邪魔にならず、意匠性にも優れる。
【００２３】
本発明は、上記の実施形態に限らず本発明の要旨を逸脱しない範囲で変形可能であり、戸の各部の形状、寸法等は適宜変更できる。例えば、操作レバーは屈曲したものでなくともよく、図６に示されるように下方に直線状に伸びているものでもよいし、操作レバー全体が湾曲しているものでもよい。また、扉の屈曲部の長さや角度、ヒンジ部の形態は、適宜変更することができる。扉のヒンジ部を、障子の下框に直接連結することもできる。障子や枠の構成は任意である。障子は、枠に固定した嵌め殺し障子であってもよい。そして、本発明は引違い戸に限らず、片引き戸、開き戸、玄関戸など、あらゆる戸に適用可能である。
【符号の説明】
【００２４】
１ｂ    内障子（障子）
２４    開口部
３      扉
３７    固定具
３７ａ  ラッチ
３７ｂ  操作レバー
３７ｄ  回動軸（水平軸）
３７ｆ  ラッチ受け
【図１】
2020122370.tif 000003
【図２】
2020122370.tif 000004
【図３】
2020122370.tif 000005
【図４】
2020122370.tif 000006
【図５】
2020122370.tif 000007
【図６】
2020122370.tif 000008